【手続補正書】
【提出日】平成21年4月17日(2009.4.17)
【手続補正１】
【補正対象書類名】特許請求の範囲
【補正対象項目名】全文
【補正方法】変更
【補正の内容】
【特許請求の範囲】
【請求項１】
１０％以下の結晶化度を有する非晶質ポリ（Ｄ，Ｌ−ラクチド）（ＰＤＬＬＡ）を含む被膜であって、
該ＰＤＬＬＡが、Ｌ，Ｌ−ラクチドとＤ，Ｄ−ラクチドとの５０／５０のブレンドから作製されたものではなく、
該被膜がステント上に被膜され、
非晶質ＰＤＬＬＡがメソ−Ｄ，Ｌ−ラクチドの重合によって調製される
被膜。
【請求項２】
非晶質ＰＤＬＬＡが約１％以下の結晶化度を有する請求項１の被膜。
【請求項３】
少なくとも１種の追加の生体適合性ポリマーを含む請求項１の被膜。
【請求項４】
請求項１の被膜を含む植込式装具。
【請求項５】
請求項２の被膜を含む植込式装具。
【請求項６】
請求項３の被膜を含む植込式装具。
【請求項７】
被膜が、生体適合性ポリマー及び場合により生体有益性材料を更に含み、
該生体適合性ポリマーが、ポリ（エステルアミド）、ポリヒドロキシアルカノエート（ＰＨＡ）、ポリ（３−ヒドロキシアルカノエート）、ポリ（４−ヒドロキシアルカノエート）、３−ヒドロキシプロパノエート、３−ヒドロキシブチレート、３−ヒドロキシバレレート、３−ヒドロキシヘキサノエート、３−ヒドロキシヘプタノエート、３−ヒドロキシオクタノエート、４−ヒドロキシブチレート、４−ヒドロキシバレレート、４−ヒドロキシヘキサノエート、４−ヒドロキシヘプタノエート及び４−ヒドロキシオクタノエートのポリマー及びコポリマー、ポリエステル、ポリ（Ｄ，Ｌ−ラクチド）、ポリ（Ｌ−ラクチド）、ポリグリコリド、ポリ（Ｄ，Ｌ−ラクチド−ｃｏ−グリコリド）、ポリ（Ｌ−ラクチド−ｃｏ−グリコリド）、ポリカプロラクトン、ポリ（ラクチド−ｃｏ−カプロラクトン）、ポリ（グリコリド−ｃｏ−カプロラクトン）、ポリ（ジオキサノン）、ポリ（オルトエステル）、ポリ（酸無水物）、ポリ（チロシンカーボネート）、ポリ（チロシンエステル）、ポリ（イミノカーボネート）、ポリ（グリコール酸−ｃｏ−トリメチレンカーボネート）、ポリホスホエステル、ポリホスホエステルウレタン、ポリ（アミノ酸）、ポリシアノアクリレート、ポリ（トリメチレンカーボネート）、ポリ（イミノカーボネート）、ポリウレタン、ポリホスファゼン、シリコーン、ポリオレフィン、ポリイソブチレン、エチレン−αオレフィンコポリマー、アクリルポリマー及びコポリマー、ポリ塩化ビニル、ポリビニルエーテル、ポリビニルメチルエーテル、ハロゲン化ポリビニリデン、ポリ（フッ化ビニリデン−ｃｏ−ヘキサフルオロプロピレン）、塩化ポリビニリデン、ポリアクリロニトリル、ポリビニルケトン、ポリビニル芳香族、ポリスチレン、ポリビニルエステル、ポリビニルアセテート、エチレン−メタクリル酸メチルコポリマー、アクリロニトリル−スチレンコポリマー、ＡＢＳ樹脂、エチレン−酢酸ビニルコポリマー、ポリ（メタクリル酸ｎ−ブチル）、ポリ（メタクリル酸ｓｅｃ−ブチル）、ポリ（メタクリル酸イソブチル）、ポリ（メタクリル酸ｔｅｒｔ−ブチル）、ポリ（メタクリル酸ｎ−プロピル）、ポリ（メタクリル酸イソプロピル）、ポリ（メタクリル酸エチル）、ポリ（メタクリル酸メチル）、ポリアミド、ナイロン６６及びポリカプロラクタム、アルキド樹脂、ポリカーボネート、ポリオキシメチレン、ポリイミド、ポリエーテル、ポリ（セバシン酸グリセリル）、ポリ（プロピレンフマレート）、エポキシ樹脂、ポリウレタン、レーヨン、レーヨントリアセテート、酢酸セルロース、酪酸セルロース、酢酸酪酸セルロース、セロハン、硝酸セルロース、プロピオン酸セルロース、セルロースエーテル、カルボキシメチルセルロース、ポリエーテル、ポリ（エーテルエステル）、ポリ（エチレンオキサイド−ｃｏ−乳酸）（ＰＥＯ／ＰＬＡ）、ポリアルキレンオキサイド、ポリ（プロピレンオキサイド）、ポリアルキレンオキサレート、ポリホスファゼン、ホスホリルコリン、ポリ（アスピリン）、ヒドロキシル含有モノマー、２−メタクリロイルオキシエチルホスホリルコリン（ＭＰＣ）、ｎ−ビニルピロリドン（ＶＰ）のポリマー及びコポリマー、カルボン酸含有モノマー、ア���コキシメタクリレート、アルコキシアクリレート及びメタクリル酸３−トリメチルシリルプロピル（ＴＭＳＰＭＡ）のポリマー及びコポリマー、ポリ（スチレン−イソプレン−スチレン）−ＰＥＧ（ＳＩＳ−ＰＥＧ）、ポリスチレン−ＰＥＧ、ポリイソブチレン−ＰＥＧ、ポリカプロラクトン−ＰＥＧ（ＰＣＬ−ＰＥＧ）、ＰＬＡ−ＰＥＧ、ポリ（メタクリル酸メチル）−ＰＥＧ（ＰＭＭＡ−ＰＥＧ）、ポリジメチルシロキサン−ｃｏ−ＰＥＧ（ＰＤＭＳ−ＰＥＧ）、ＰＬＵＲＯＮＩＣ（商標）界面活性剤（ポリプロピレンオキサイド−ｃｏ−ポリエチレングリコール）、ポリ（テトラメチレングリコール）、ヒドロキシ官能性ポリ（ビニルピロリドン）、グリコサミノグリカン（ＧＡＧ）、シリコーン、並びにこれらの組み合わせからなる群から選択される、請求項４の植込式装具。
【請求項８】
生体有益性材料が、ポリ（エチレングリコール）、ポリ（アルキレンオキサイド）、ホスホリルコリン、２−メタクリロイルオキシエチルホスホリルコリン、ポリ（ビニルピロリドン）、ポリ（スルホン化スチレン）、酸化窒素保存物質、ペプチド両親媒性物質、治癒促進性ポリマー、ＮＯ供与体ポリマー、ヒアルロン酸、フィブリン、アルブミン、エラスチン、デキストラン、デキストリン、多糖、ヘパリン、フラーレン、及びこれらの組み合わせからなる群から選択される、請求項７の植込式装具。
【請求項９】
生物活性薬剤を更に含む請求項４の植込式装具。
【請求項１０】
生物活性薬剤を更に含む請求項６の植込式装具。
【請求項１１】
生物活性薬剤が、パクリタキセル、ドセタキセル、エストラジオール、酸化窒素供与体、スーパーオキシドジスムターゼ、スーパーオキシドジスムターゼ模倣物質、４−アミノ−２，２，６，６−テトラメチルピペリジン−１−オキシル（４−アミノＴＥＭＰＯ）、タクロリムス、デキサメタゾン、ラパマイシン、４０−Ｏ−（２−ヒドロキシ）エチルラパマイシン（エベロリムス）、４０−Ｏ−（３−ヒドロキシ）プロピルラパマイシン、４０−Ｏ−［２−（２−ヒドロキシ）エトキシ］エチルラパマイシン、及び４０−Ｏ−テトラゾールラパマイシン、ＡＢＴ−５７８、ピメクロリムス、メシル酸イマチニブ、ミドスタウリン、クロベタゾール、並びにこれらの組み合わせからなる群から選択される、請求項９の植込式装具。
【請求項１２】
生物活性薬剤が、パクリタキセル、ドセタキセル、エストラジオール、酸化窒素供与体、スーパーオキシドジスムターゼ、スーパーオキシドジスムターゼ模倣物質、４−アミノ−２，２，６，６−テトラメチルピペリジン−１−オキシル（４−アミノＴＥＭＰＯ）、タクロリムス、デキサメタゾン、ラパマイシン、４０−Ｏ−（２−ヒドロキシ）エチルラパマイシン（エベロリムス）、４０−Ｏ−（３−ヒドロキシ）プロピルラパマイシン、４０−Ｏ−［２−（２−ヒドロキシ）エトキシ］エチルラパマイシン、及び４０−Ｏ−テトラゾールラパマイシン、ＡＢＴ−５７８、ピメクロリムス、メシル酸イマチニブ、ミドスタウリン、クロベタゾール、並びにこれらの組み合わせからなる群から選択される、請求項１０の植込式装具。
【請求項１３】
約１０％以下の結晶化度を有する非晶質ポリ（Ｄ，Ｌ−ラクチド）（ＰＤＬＬＡ）を含み、該ＰＤＬＬＡが、Ｌ，Ｌ−ラクチドとＤ，Ｄ−ラクチドとの５０／５０のブレンドから作製されたものではない材料から形成される吸収性ステント。
【請求項１４】
非晶質ＰＤＬＬＡが、メソ−Ｄ，Ｌ−ラクチドの重合によって調製される、請求項１３の吸収性ステント。
【請求項１５】
少なくとも１つの追加の生体適合性ポリマーと場合により生体有益性材料及び／又は生物活性薬剤を更に含む、請求項１３の吸収性ステント。
【請求項１６】
少なくとも１つの追加の生体適合性ポリマーと場合により生体有益性材料及び／又は生体活性薬剤を更に含む、請求項１４の吸収性ステント。
【請求項１７】
生体有益性材料及び／又は場合により生物活性薬剤を更に含む、請求項１３の吸収性ステント。
【請求項１８】
生体有益性材料及び／又は場合により生物活性薬剤を更に含む、請求項１４の吸収性ステント。
【請求項１９】
（１）メソ−ＤＬＰＬＡとラセミ−ＤＬＰＬＡとのブレンドの層、
（２）外層としてのメソ−ＤＬＰＬＡの層及び内層としてのラセミ−ＤＬＰＬＡの層、又は外層としてのラセミ−ＤＬＰＬＡの層及び内層としてのメソ−ＤＬＰＬＡの層、
（３）メソ−ＤＬＰＬＡとラセミ−ＤＬＰＬＡとの交互の層、或いは
（４）これらの組み合わせ
を含んだ被膜を含む植込式装具。
【請求項２０】
（１）メソ−ＤＬＰＬＡとＬＰＬＡとのブレンドの層、
（２）外層としてのメソ−ＤＬＰＬＡの層及び内層としてのＬＰＬＡの層、又は外層としてのＬＰＬＡの層及び内層としてのメソ−ＤＬＰＬＡの層、
（３）メソ−ＤＬＰＬＡとＬＰＬＡとの交互の層、或いは
（４）これらの組み合わせ
を含んだ被膜を含む植込式装具。
【請求項２１】
（１）ＬＰＬＡとメソ−ＤＬＰＬＡ及びラセミ−ＤＬＰＬＡを含む組成物とのブレンドの層、
（２）ＬＰＬＡを含む層と交互となる、メソ−ＤＬＰＬＡ及びラセミ−ＤＬＰＬＡを含む層、或いは
（３）これらの組み合わせ
を含んだ被膜を含む植込式装具。
【請求項２２】
（１）ＬＰＬＡとメソ−ＤＬＰＬＡ及びＬＰＬＡ−ｃｏ−ＤＬＰＬＡを含む組成物とのブレンドの層、
（２）ＬＰＬＡを含む層と交互となる、メソ−ＤＬＰＬＡ及びＬＰＬＡ−ｃｏ−ＤＬＰＬＡを含む層、或いは
（３）これらの組み合わせ
を含んだ被膜を含む植込式装具。